(57)【特許請求の範囲】
【請求項１】
飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、該放熱板を加熱する放熱板加熱手段とを備えた電気炊飯器であって、前記放熱板加熱手段の近傍の温度を検出する温度検出手段と、該温度検出手段により検出された検出温度が所定温度まで上昇するに要する時間に基づいて前記放熱板の取付忘れを検知する放熱板検知手段と、該放熱板検知手段により前記放熱板の取付忘れが検知されたときにはこれを報知する報知手段とを付設したことを特徴とする電気炊飯器。
【請求項２】
飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、前記炊飯器本体の肩部に設けられ且つ前記蓋体の閉蓋時に前記放熱板の外周部が圧接される肩ヒータとを備えた電気炊飯器であって、前記肩ヒータの近傍には、当該部位の温度を検出する肩センサを設けるとともに、保温時において前記蓋体が開操作された時点から前記肩センサによる温度検出を開始し、該検出温度の所定時間内における温度上昇度の変化に基づいて前記放熱板の取付忘れを検知する放熱板検知手段と、該放熱板検知手段により放熱板の取付忘れが検知されたときにはこれを報知する報知手段とを付設したことを特徴とする電気炊飯器。
【請求項３】
飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、前記炊飯器本体の肩部に設けられ且つ前記蓋体の閉蓋時に前記放熱板の外周部が圧接される肩ヒータとを備えた電気炊飯器であって、前記肩ヒータの近傍には、当該部位の温度を検出する肩センサを設けるとともに、前記肩ヒータへの通電を炊飯開始前に行い、前記肩センサにより検出された検出温度の所定時間内における温度上昇度の変化に基づいて前記放熱板の取付忘れを検知する放熱板検知手段と、該放熱板検知手段により放熱板の取付忘れが検知されたときにはこれを報知する報知手段とを付設したことを特徴とする電気炊飯器。
【発明の詳細な説明】
【０００２】
【発明の属する技術分野】
【０００３】
本願発明は、電気炊飯器に関し、さらに詳しくは放熱板の取付忘れを検知し得るように構成した電気炊飯器に関するものである。
【従来の技術】
【０００４】
電気炊飯器において、蓋体の下面に該蓋体の閉蓋時に飯器の開口部を密閉する放熱板を着脱自在に設け、該放熱板を加熱手段（例えば、電気ヒータ）により加熱することにより、炊飯時におけるオネバの成長を防止するとともに、保温時における蓋体への露付きを防止するようにしたものが従来からよく知られている。
【発明が解決しようとする課題】
【０００５】
上記構造の電気炊飯器の場合、放熱板の無い状態においても、炊飯ヒータや保温ヒータへの通電が可能となっている（即ち、炊飯や保温が可能となっている）ため、ユーザが放熱板を取付忘れしたのに気づかずに、炊飯や保温を行ってしまうことがある。すると、炊飯時においては内圧不足によりご飯がうまく炊き上がらないし、保温時においては蓋体への結露が生じるという不具合が発生する。
【０００６】
本願発明は、上記の点に鑑みてなされたもので、放熱板の取付忘れを検知することにより、炊飯時あるいは保温時の不具合発生をなくし得るようにすることを目的とするものである。
【課題を解決するための手段】
【０００７】
請求項１の発明では、上記課題を解決するための手段として、飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、該放熱板を加熱する放熱板加熱手段とを備えた電気炊飯器において、前記放熱板加熱手段の近傍の温度を検出する温度検出手段と、該温度検出手段により検出された検出温度が所定温度まで上昇するに要する時間に基づいて前記放熱板の取付忘れを検知する放熱板検知手段と、該放熱板検知手段により前記放熱板の取付忘れが検知されたときにはこれを報知する報知手段とを付設している。
【０００８】
上記のように構成したことにより、放熱板の有無により放熱板加熱手段からの熱伝導量が大きく変化するため、温度検出手段により検出される放熱板加熱手段近傍の温度が所定温度まで上昇するに要する時間も大きく変化することとなる。従って、当該時間に基づいて放熱板の取付忘れが検知され、この取付忘れが報知手段によりユーザに報知されることとなる。
【０００９】
請求項２の発明では、上記課題を解決するための手段として、飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、前記炊飯器本体の肩部に設けられ且つ前記蓋体の閉蓋時に前記放熱板の外周部が圧接される肩ヒータとを備えた電気炊飯器において、前記肩ヒータの近傍に、当該部位の温度を検出する肩センサを設けるとともに、保温時において前記蓋体が開操作された時点から前記肩センサによる温度検出を開始し、該検出温度の所定時間内における温度上昇度の変化に基づいて前記放熱板の取付忘れを検知する放熱板検知手段と、該放熱板検知手段により放熱板の取付忘れが検知されたときにはこれを報知する報知手段とを付設している。
【００１０】
上記のように構成したことにより、保温時において蓋体が開操作された時点から肩センサによる温度検出を開始すれば、放熱板の有無により肩ヒータからの熱伝導量が大きく変化するため、肩センサーにより検出される肩ヒータ近傍の温度の温度上昇度も大きく変化することとなる。従って、当該温度上昇度に基づいて放熱板の取付忘れが検知され、この取付忘れが報知手段にユーザに報知されることとなる。
【００１１】
請求項３の発明では、上記課題を解決するための手段として、飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、前記炊飯器本体の肩部に設けられ且つ前記蓋体の閉蓋時に前記放熱板の外周部が圧接される肩ヒータとを備えた電気炊飯器において、前記肩ヒータの近傍に、当該部位の温度を検出する肩センサを設けるとともに、前記肩ヒータへの通電を炊飯開始前に行い、前記肩センサにより検出された検出温度の所定時間内における温度上昇度の変化に基づいて前記放熱板の取付忘れを検知する放熱板検知手段と、該放熱板検知手段により放熱板の取付忘れが検知されたときにはこれを報知する報知手段とを付設している。
【００１２】
上記のように構成したことにより、肩ヒータへの通電を炊飯開始前に行えば、放熱板の有無により肩ヒータからの熱伝導量が大きく変化するため、肩センサーにより検出される肩ヒータ近傍の温度の温度上昇度も大きく変化することとなる。従って、当該温度上昇度に基づいて放熱板の取付忘れが検知され、この取付忘れが報知手段にユーザに報知されることとなる。
【発明の実施の形態】
【００１３】
以下、添付の図面を参照して、本願発明の幾つかの好適な実施の形態について詳述する。
【００１４】
第１の実施の形態
図１には、本願発明の第１の実施の形態にかかる電気炊飯器が示されている。
【００１５】
この電気炊飯器は、図１に示すように、外周面を構成する外ケース４と内周面を構成する板金製の保護枠５とによって構成された炊飯器本体１と、該炊飯器本体１の蓋体２と、前記保護枠５の内底部に配設された飯器６を加熱する炊飯ヒータ３とを備えて構成されている。
【００１６】
該炊飯ヒータ３は、前記飯器６の底部から湾曲部に掛けてを被包するような形状の熱良導体からなる熱盤７と、該熱盤７内に埋設された発熱体（例えば、シーズヒータ）８とからなっている。
【００１７】
前記外ケース４は、前記炊飯器本体１の側周面となる胴部４ａと前記保護枠５の上端口縁との結合部となる肩部４ｂと、前記炊飯器本体１の底部となる底部４ｃとからなっており、本実施の形態においては、前記胴部４ａと底部４ｃとは、合成樹脂製の一体成形品により構成され、肩部４ｂは別体構成とされている。なお、胴部４ａと肩部４ｂとを合成樹脂製の一体成形品により構成し、底部４ｃを別体構成とする場合もある。符号９は飯器６の温度を検知する温度センサー、１０は保温ヒータ、１１は前記炊飯器本体１内に配設された断熱材、１２は電気炊飯器を持ち運ぶための把手である。
【００１８】
前記外ケース４における肩部４ｂの内周縁（換言すれば、炊飯器本体１の口縁）には、合成樹脂製の肩リング１３が無理嵌めにより取り付けられており、該肩リング１３の上面には、後述する放熱板を加熱するための放熱板加熱手段として作用する肩ヒータ１４を備えた金属製のヒータリング１５が取り付けられている。該ヒータリング１５の上面には、後述するように、蓋体２の下面に取り付けられる放熱板１６の外周部が蓋体２の閉蓋時に圧接（換言すれば、熱伝導可能に接触）されることとなっている。
【００１９】
また、前記肩ヒータ１４における端子引き出し部には、肩ヒータ１４の近傍（即ち、ヒータリング１５）の温度を検出する温度検出手段として作用する肩センサー１７が配設されている。
【００２０】
一方、前記蓋体２は、外ケース肩部４ｂの後方部位に対してヒンジユニット（図示省略）を介して開閉且つ着脱自在に枢支されており、上面を形成する合成樹脂製の上板１８と、下面を形成するとともに前記上板１８に対して内外周端において接合される合成樹脂製の下板１９とからなっており、この上下板１８，１９間の空間部には、断熱材２０が配設されている。
【００２１】
前記蓋体２の略中心部には、開口２１が形成されており、該開口２１には、調圧筒２２が着脱自在に取り付けられている。該調圧筒２２の下端には、前記蓋体２の閉蓋時に前記飯器６の開口部を密閉する放熱板１６がビス２３により固着されている。つまり、放熱板１６は、調圧筒２２を介して蓋体２に対して着脱自在とされているのである。そして、この放熱板１６の外周部は、蓋体２の閉蓋時に前記ヒータリング１５の上面に圧接されることとなっており、放熱板１６は、放熱板加熱手段として作用する肩ヒータ１４からの熱伝導により加熱されることとなっている。符号２４は調圧筒２２への蒸気入口、２５は調圧筒２２からの蒸気出口、２６は放熱板１６に形成された蒸気口、２７はボール弁、２８は放熱板１６と飯器６の開口部とをシールするシールパッキン、２９は蓋体２と放熱板１６とをシールするシールパッキン、３０は調圧筒２２の外周に取り付けられたシールパッキンである。
【００２２】
上記構成の電気炊飯器における電気的要素は、図２のブロック図に示すように結線されている。なお、既に説明した電気的要素については同一の符号を付し、詳細な説明を省略する。
【００２３】
図２において、符号３１は炊飯スイッチ、３２は保温スイッチ、３３は取消スイッチ、３４は予約スイッチ、３５はメニュースイッチ、３６は時スイッチ、３７は分スイッチ、３８は炊飯表示灯、３９は保温表示灯、４０は予約表示灯、４１は液晶表示部、４２はマイクロコンピュータユニット（以下、マイコンと略称する）、４３は商用交流電源、４４は整流回路、４５は降圧トランス、４６はトライアック駆動回路、４７はリレー駆動回路、４８はリレー、４９，５０はトライアック、５１は周波数同期信号入力回路、５２は温度ヒューズ、５３はブザーである。
【００２４】
上記マイコン４２は、前記肩センサー１７により検出された検出温度Ｔの所定時間ｔ内における温度上昇度に基づいて放熱板１６の取付忘れを検知する放熱板検知手段としての機能と、該放熱板検知手段により放熱板１６の取付忘れが検知されたときにはこれを報知する（例えば、液晶表示部４１へのエラー表示およびブザー５３による警告を行う）報知手段としての機能とを有している。
【００２５】
次に、上記構成の電気炊飯器における放熱板取付忘れ検知について、図３および図４に示すフローチャートを参照して詳述する。
（Ｉ）  炊飯時（図３のフローチャート参照）
ステップＳ１において炊飯スイッチ３１がＯＮされたと判定されると、ステップＳ２において肩センサー１７による検出温度Ｔ1がマイコン４２に入力され且つ記憶される。ついで、ステップＳ３において肩ヒータ１４および炊飯ヒータ３に通電されて炊飯が開始される。
【００２６】
この状態のもとに、ステップＳ４において所定時間ｔ秒が経過したと判定されると、ステップＳ５において肩センサー１７による検出温度Ｔ2が検出され、ステップＳ６において所定時間ｔ内における温度上昇度Ｔ2−Ｔ1と設定値Ｔｘとの比較がなされる。ここで、設定値Ｔｘは、図５に点線で示すように、放熱板１６が取り付けられている状態での温度上昇度とされる。
【００２７】
ステップＳ６においてＴ2−Ｔ1＜Ｔｘと判定された場合（即ち、温度上昇度が小さいと判定された場合）には、放熱板１６が取り付けられていると判定され、ステップＳ７において炊飯工程が継続されるが、Ｔ2−Ｔ1≧Ｔｘと判定された場合（即ち、温度上昇度が大きいと判定された場合）には、放熱板１６が取付忘れされていると判定され、ステップＳ８において肩ヒータ１４および炊飯ヒータ３への通電が停止され（即ち、炊飯が停止され）、ステップＳ９においてブザー５３による警告報知と液晶表示部４１へのエラー表示とが行われる。
（ＩＩ）  保温時（図４のフローチャート参照）
ステップＳ１において保温スイッチ３２がＯＮされたと判定されると、ステップＳ２において肩ヒータ１４および保温ヒータ１０に通電されて保温が開始され、ステップＳ３において肩センサー１７からの検出温度Ｔがマイコン４２に入力され、ステップＳ４において検出温度Ｔと設定値Ｔａとの比較がなされる。ここで、設定値Ｔａは、蓋体２が開放された時に肩ヒータ１４近傍（即ち、ヒータリング１５）の温度が降下する温度とされ、予め実験等により求められる。
【００２８】
ステップＳ４においてＴ≦Ｔａと判定されると（即ち、蓋体２が開放されたと判定されると）、ステップＳ５において肩センサー１７による検出温度Ｔ1がマイコン４２に入力され且つ記憶される。
【００２９】
この状態のもとに、ステップＳ６において所定時間ｔ秒が経過したと判定されると、ステップＳ７において肩センサー１７による検出温度Ｔ2が検出され、ステップＳ８において所定時間ｔ内における温度上昇度Ｔ2−Ｔ1と設定値Ｔｘとの比較がなされる。ここで、設定値Ｔｘは、図５に点線で示すように、放熱板１６が取り付けられている状態での温度上昇度とされる。
【００３０】
ステップＳ８においてＴ2−Ｔ1＜Ｔｘと判定された場合（即ち、温度上昇度が小さいと判定された場合）には、放熱板１６が取り付けられていると判定され、ステップＳ１へリターンされるが、Ｔ2−Ｔ1≧Ｔｘと判定された場合（即ち、温度上昇度が大きいと判定された場合）には、放熱板１６が取付忘れされていると判定され、ステップＳ９において肩ヒータ１４および保温ヒータ１０への通電が停止され（即ち、保温が停止され）、ステップＳ１０においてブザー５３による警告報知と液晶表示部４１へのエラー表示とが行われる。
【００３１】
上記したように、本実施の形態においては、所定時間ｔ内における肩ヒータ１４近傍（換言すれば、ヒータリング１５）の温度上昇度が放熱板１６の有無により大きく変化するところから、当該温度上昇度に基づいて確実に放熱板１６の取付忘れが検知され、ブザー５３による警告報知および液晶表示部４１へのエラー表示により、ユーザが放熱板１６の取付忘れを確認することができる。
【００３２】
第２の実施の形態
図６および図７には、本願発明の第２の実施の形態にかかる電気炊飯器における炊飯時および保温時の放熱板取付忘れ検知に関するフローチャートが示されている。
【００３３】
この場合、マイコン４２は、肩センサー１７により検出された検出温度Ｔが温度Ｔｓ1から温度Ｔｓ2に上昇するに要する時間ｔに基づいて放熱板１６の取付忘れを検知する放熱板検知手段としての機能と、該放熱板検知手段により放熱板１６の取付忘れが検知されたときにはこれを報知する（例えば、液晶表示部４１へのエラー表示およびブザー５３による警告を行う）報知手段としての機能とを有している。その他の構成は、第１の実施の形態におけると同様なので説明を省略する。
【００３４】
次に、上記構成の電気炊飯器における放熱板取付忘れ検知について、図６および図７に示すフローチャートを参照して詳述する。
（Ｉ）  炊飯時（図６のフローチャート参照）
ステップＳ１において炊飯スイッチ３１がＯＮされたと判定されると、ステップＳ２において肩ヒータ１４および炊飯ヒータ３に通電されて炊飯が開始され、ステップＳ３において肩センサー１７による検出温度Ｔがマイコン４２に入力され、ステップＳ４において前記検出温度Ｔが第１の設定温度Ｔｓ1に達したか否かの判定がなされ、ここで肯定判定されると、ステップＳ５において時間ｔの計測が開始される。
【００３５】
当該時間計測は、ステップＳ６において前記検出温度Ｔが第２の設定温度Ｔｓ2に達したと判定されるまで継続され、ステップＳ６において肯定判定されると、ステップＳ７に進み、計測された時間ｔと設定値ｔｘとの比較がなされる。ここで、設定値ｔｘは、図８に実線で示すように、放熱板１６が取り付けられていない状態での温度上昇に要する時間とされる。
【００３６】
ステップＳ７においてｔ≧ｔｘと判定された場合（即ち、温度上昇に要する時間が長いと判定された場合）には、放熱板１６が取り付けられていると判定され、ステップＳ８において炊飯工程が継続されるが、ｔ＜ｔｘと判定された場合（即ち、温度上昇に要する時間が短いと判定された場合）には、放熱板１６が取付忘れされていると判定され、ステップＳ９において肩ヒータ１４および炊飯ヒータ３への通電が停止され（即ち、炊飯が停止され）、ステップＳ１０においてブザー５３による警告報知と液晶表示部４１へのエラー表示とが行われる。
（ＩＩ）  保温時（図７のフローチャート参照）
ステップＳ１において保温スイッチ３２がＯＮされたと判定されると、ステップＳ２において肩ヒータ１４および保温ヒータ１０に通電されて保温が開始され、ステップＳ３において肩センサー１７からの検出温度Ｔがマイコン４２に入力され、ステップＳ４において検出温度Ｔと設定値Ｔａとの比較がなされる。ここで、設定値Ｔａは、蓋体２が開放された時に肩ヒータ１４近傍（即ち、ヒータリング１５）の温度が降下する温度とされ、予め実験等により求められる。
【００３７】
ステップＳ４においてＴ≦Ｔａと判定されると（即ち、蓋体２が開放されたと判定されると）、ステップＳ５において前記検出温度Ｔが第１の設定温度Ｔｓ1に達したか否かの判定がなされ、ここで肯定判定されると、ステップＳ６において時間ｔの計測が開始される。
【００３８】
当該時間計測は、ステップＳ７において前記検出温度Ｔが第２の設定温度Ｔｓ2に達したと判定されるまで継続され、ステップＳ７において肯定判定されると、ステップＳ８に進み、計測された時間ｔと設定値ｔｘとの比較がなされる。ここで、設定値ｔｘは、図８に実線で示すように、放熱板１６が取り付けられていない状態での温度上昇に要する時間とされる。
【００３９】
ステップＳ８においてｔ≧ｔｘと判定された場合（即ち、温度上昇に要する時間が長いと判定された場合）には、放熱板１６が取り付けられていると判定され、ステップＳ１へリターンされるが、ｔ＜ｔｘと判定された場合（即ち、温度上昇に要する時間が短いと判定された場合）には、放熱板１６が取付忘れされていると判定され、ステップＳ９において肩ヒータ１４および炊飯ヒータ３への通電が停止され（即ち、炊飯が停止され）、ステップＳ１０においてブザー５３による警告報知と液晶表示部４１へのエラー表示とが行われる。
【００４０】
上記したように、本実施の形態においては、所定温度（即ち、Ｔｓ1からＴｓ2）まで上昇するに要する時間ｔが放熱板１６の有無により大きく変化するところから、当該時間ｔに基づいて確実に放熱板の取付忘れが検知され、ブザー５３による警告報知および液晶表示部４１へのエラー表示により、ユーザが放熱板１６の取付忘れを確認することができる。
【００４１】
上記実施の形態においては、肩ヒータへの通電開始を、炊飯開始初期の炊飯ヒータへの通電開始と同時に行うようにしているが、炊飯ヒータへの通電開始前に行うようにしてもよい。
【００４２】
また、上記実施の形態においては、保温時において蓋体が開放された時にのみ放熱板の取付忘れ検知を行うようにしているが、定期的に放熱板の取付忘れ検知を行うようにしてもよい。
【００４３】
上記説明では、蓋体が着脱可能なものを実施の形態としているが、本願発明は、蓋体が着脱不可能なものにも適用可能なことは勿論である。
【００４４】
また、炊飯用加熱手段としてヒータを用いたものについて説明したが、本願発明は、電磁誘導コイルを炊飯用加熱手段として用いたものにも適用可能である。
【発明の効果】
【００４５】
請求項１の発明によれば、飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、該放熱板を加熱する放熱板加熱手段とを備えた電気炊飯器において、前記放熱板加熱手段の近傍の温度を検出する温度検出手段と、該温度検出手段により検出された検出温度が所定温度まで上昇するに要する時間に基づいて前記放熱板の取付忘れを検知する放熱板検知手段と、該放熱板検知手段により前記放熱板の取付忘れが検知されたときにはこれを報知する報知手段とを付設して、放熱板加熱手段近傍の温度が所定温度まで上昇するに要する時間に基づいて放熱板の取付忘れを検知し、この取付忘れを報知手段によりユーザに報知するようにしているので、放熱板の取付を忘れた状態で炊飯あるいは保温を行うことによる不具合発生を確実に防止することができるという効果がある。
【００４６】
請求項２の発明によれば、飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、前記炊飯器本体の肩部に設けられ且つ前記蓋体の閉蓋時に前記放熱板の外周部が圧接される肩ヒータとを備えた電気炊飯器において、前記肩ヒータの近傍に、当該部位の温度を検出する肩センサを設けるとともに、保温時において前記蓋体が開操作された時点から前記肩センサによる温度検出を開始し、該検出温度の所定時間内における温度上昇度の変化に基づいて前記放熱板の取付忘れを検知する放熱板検知手段と、該放熱板検知手段により放熱板の取付忘れが検知されたときにはこれを報知する報知手段とを付設して、保温時において蓋体が開操作された時点から肩センサによる温度検出を開始し、肩センサーにより検出される肩ヒータ近傍の温度の温度上昇度に基づいて放熱板の取付忘れを検知し、この取付忘れを報知手段によりユーザに報知するようにしているので、放熱板の取付を忘れた状態で保温を行うことによる不具合発生を確実に防止することができるという効果がある。
【００４７】
請求項３の発明によれば、飯器を取出自在に収納し得るように構成された炊飯器本体と、該炊飯器本体の蓋体と、該蓋体の下面に着脱自在に取り付けられ、前記蓋体の閉蓋時に前記飯器の開口部を密閉する放熱板と、前記炊飯器本体の肩部に設けられ且つ前記蓋体の閉蓋時に前記放熱板の外周部が圧接される肩ヒータとを備えた電気炊飯器において、前記肩ヒータの近傍に、当該部位の温度を検出する肩センサを設けるとともに、前記肩ヒータへの通電を炊飯開始前に行い、前記肩センサにより検出された検出温度の所定時間内における温度上昇度の変化に基づいて前記放熱板の取付忘れを検知する放熱板検知手段と、該放熱板検知手段により放熱板の取付忘れが検知されたときにはこれを報知する報知手段とを付設して、肩ヒータへの通電を炊飯開始前に行い、肩センサーにより検出される肩ヒータ近傍の温度の温度上昇度に基づいて放熱板の取付忘れを検知し、この取付忘れを報知手段によりユーザに報知するようにしているので、放熱板の取付を忘れた状態で炊飯あるいは保温を行うことによる不具合発生を確実に防止することができるという効果がある。
【図面の簡単な説明】
【００４８】
【図１】本願発明の第１の実施の形態にかかる電気炊飯器の縦断面図である。
【図２】本願発明の第１の実施の形態にかかる電気炊飯器における電気的要素の結線状態を示すブロック図である。
【図３】本願発明の第１の実施の形態にかかる電気炊飯器における炊飯時の放熱板取付忘れ検知の内容を示すフローチャートである。
【図４】本願発明の第１の実施の形態にかかる電気炊飯器における保温時の放熱板取付忘れ検知の内容を示すフローチャートである。
【図５】本願発明の第１の実施の形態にかかる電気炊飯器における放熱板取付忘れ検知時に用いられる設定値Ｔｘの算出例を示すための温度特性図である。
【図６】本願発明の第２の実施の形態にかかる電気炊飯器における炊飯時の放熱板取付忘れ検知の内容を示すフローチャートである。
【図７】本願発明の第２の実施の形態にかかる電気炊飯器における保温時の放熱板取付忘れ検知の内容を示すフローチャートである。
【図８】本願発明の第２の実施の形態にかかる電気炊飯器における放熱板取付忘れ検知時に用いられる設定値ｔｘの算出例を示すための温度特性図である。
【符号の説明】
【００４９】
１は炊飯器本体、２は蓋体、６は飯器、１４は放熱板加熱手段（肩ヒータ）、１６は放熱板、１７は温度検出手段（肩センサー）、４１は液晶表示部、４２はマイコン、５３はブザー。
【図１】
0003562440.tif 000002
【図２】
0003562440.tif 000003
【図３】
0003562440.tif 000004
【図４】
0003562440.tif 000005
【図５】
0003562440.tif 000006
【図６】
0003562440.tif 000007
【図７】
0003562440.tif 000008
【図８】
0003562440.tif 000009